(57)【要約】      （修正有）【課題】バインダーで書類を挟む場合の操作性を改善する。【解決手段】書類を挟む２枚の板の間にボールを入れ、一方の板とボールの間に書類を挿入する配置とする。他方の板に上下に傾斜をつけたり双方の板やボールを受ける部分等に傾斜や勾配をつけることにより、挿入口から書類を差し込めばボールを持ち上げるようにして書類を挿入でき、その後ボールが自重で自動的に降り、その際に他方の板につけた傾斜によってボールが書類の方に押されて書類を挟み込み、書類を斜め上に上げれば容易に書類を抜くことができる。【選択図】図１
2006187887.tif 000002
【特許請求の範囲】
【請求項１】
複数枚の書類等を挟む、主に書類を挟みつける▲２▼表板と▲１▼背板、これらをつなぎ、かつ挿入した書類を止める▲５▼結合部、▲２▼表板と▲１▼背板の間で書類を抑えつける▲３▼ボール、▲３▼ボールを▲２▼表板と▲１▼背板の間に保持する▲４▼ボール保持部によって構成され、書類挿入口が下を向くように本体を設置した場合、▲２▼表板と▲１▼背板との間隔が上は広く下は狭くなるように▲２▼表板のボール側の面に勾配をつけ、さらに▲２▼表板と▲１▼背板の間隔が本体中心線上は狭く中心から離れるに従って広くなるように▲２▼表板と▲１▼背板の双方の▲３▼ボール側の面に勾配をつけるとともに▲４▼ボール保持部下面の▲３▼ボールを受ける部分及び▲５▼結合部の下面の書類を挿入したときに書類を止める部分に本体中心線上が最も低く中心から離れるに従って高くなるように傾斜をつけ、▲２▼表板と▲１▼背板の間に▲３▼ボールを入れることにより、書類を挿入口から差し込むだけで挿入でき、その後自動的に▲３▼ボールが自重で下りて書類を挟んで留め、かつ、書類を挟んだ後、挟んだ書類を下に引くだけで書類を強く挟みつけること及び書類を斜め上に引き上げながら抜くことにより容易に挟んだ書類を取り外すことができるバインダー。
【請求項２】
請求項１のバインダーにおいて、▲３▼ボールを▲３▼ボールの直径よりわずかに大きい内径の▲６▼円筒内に入れ、▲４▼ボール保持部先端にバネ等伸縮材を収納する▲７▼バネ収納部を設け、この▲７▼バネ収納部の先端からばね等伸縮材でこの▲６▼円筒と▲７▼バネ収納部先端との間に張力を持たせる機構を備えたバインダー。
【請求項３】
請求項１及び請求項２のバインダーにおいて、▲４▼結合部下面の挿入した書類を止める部分に▲１▼背板側が最も奥行きがあり、▲２▼表板に近くなるに従って奥行きが浅くなるように傾斜をつけたバインダー。
【請求項４】
請求項１から請求項３のバインダーにおいて▲４▼ボール保持部先端に▲４▼ボール保持部を貫通する、先端に▲８▼平板の付いた▲９▼押し棒を備え、この▲８▼平板を押すことにより▲９▼押し棒で▲３▼ボールを奥方向に押す機構を備えたバインダー。
【発明の詳細な説明】
【技術分野】
【０００１】  本発明はバインダーの形状及び機能に関する。
【背景技術】
【０００２】  従来バインダーで書類を挟む場合、ばね等の反力で書類に接する部分を書類に押しつけ、書類を挟んで留めるものを主流とするほか、最近ではばね等を使用せず、書類と接する部分の弾力と摩擦力で挟んだ書類を保持する機構のものがある。
【発明の開示】
【発明が解決しようとする課題】
【０００３】  ばね等の反力で書類に接する部分を書類に押し付け、書類を挟んで留める機構のものは、書類を挟む際や書類を抜く際に挟む部分を何らかの方法で開かなければならず、面倒である。【０００４】  また、ばね等を使用せず、書類と接する部分の弾力と摩擦力で挟んだ書類を保持する機構のものは挟める書類の厚さの範囲が狭い。
【課題を解決するための手段】
【０００５】  本発明の請求項１のバインダーの実施の形態を図−１に示す。【０００６】  書類を挟む２枚の板材（以下書類の表側になる方を▲２▼表板、裏になる方を▲１▼背板と呼ぶ）とこれを結合する▲５▼結合部、書類を押さえる▲３▼ボール、▲３▼ボールを保持する▲４▼ボール保持部から構成され、書類挿入口が下を向くように本体を設置した場合、▲２▼表板と▲１▼背板の間隔が上は広く下は狭くなるように▲２▼表板の▲３▼ボール側の面に勾配をつけ、▲２▼表板と▲１▼背板の間隔が本体の中心線上が最も狭くこれから離れるに従って広くなるように▲２▼表板と▲１▼背板の双方の▲３▼ボール側の面に勾配をつけ、さらに▲５▼結合部下面の挿入した書類を止める部分及び▲４▼ボール保持部下面の▲３▼ボールを受ける部分に本体中心線上が最も低くこれから離れるに従って高くなるように傾斜をつける。【０００７】  また、▲３▼ボールが最も低い位置になった時の▲２▼表板と▲１▼背板の間隔及び挟む物の厚さや質量等を考慮して設定された直径と質量の▲３▼ボールを▲４▼ボール保持部内に入れ、バインダー本体を書類挿入口が下を向くように設置する。【０００８】  請求項２のバインダーの実施の形態を図−２に示すが、この実施形態では書類挿入口が上を向くように本体を設置しても使用可能となるので、その状態を示した。【０００９】  ▲３▼ボールの直径よりわずかに大きい▲６▼円筒内に▲３▼ボールを入れ、▲４▼ボール保持部先端にバネ等仲縮材を収納するスペース▲７▼を設け、この▲７▼バネ収納部の先端と▲６▼円筒の間にバネ等伸縮性の物で連結し張力を持たせることにより、▲３▼ボールを強制的に▲４▼ボール保持部先端方向に引っ張るようにする。【００１０】  請求項３のバインダーの実施の形態を図−３に示す。【００１１】  ▲４▼結合部下面の挿入した書類を止める部分に▲１▼背板側が最も奥行きがあり、▲２▼表板に近くなるに従って奥行きが浅くなるように傾斜をつける。【００１２】  請求項４のバインダーの実施の形態を図−４に示す。【００１３】  ▲４▼ボール保持部の先端に▲４▼ボール保持部を貫通する、先端に▲８▼平板が付いた▲９▼押し棒を備え、バネで▲３▼ボールの反対方向に保持しておき、この▲８▼平板を押すことで▲４▼ボール保持部の外から▲３▼ボールを奥に押す機構を備える。
【実施例及び発明の効果】
【００１４】  請求項１においては、書類を挟む場合は書類を挿入口から挿入すれば書類で▲３▼ボールが持ち上がり、自動的に挟み口が開いた形になって容易に書類を挿入でき、挿入した後自動的に▲３▼ボールが下りて書類を挟むことができる。
【００１５】  なお、書類を強く挟みたい場合は挟んだ後書類を手前に強く引っ張ればよい。
【００１６】  一方挟んだ書類を抜く場合は書類を斜め上に引けば▲３▼ボールが横に転がり▲２▼表板と▲１▼背板の間隔が広くなり、容易に書類を抜くことができ、その後▲３▼ボールは自動的に▲４▼ボール保持部の中の中心線上の最下端に戻る。
【００１７】  ▲２▼表板と▲１▼背板の間隔、▲３▼ボールの直径、質量、表面祖度等によって本バインダーにて挟める書類の厚さや重さを調節することが可能である。
【００１８】  請求項２のバインダーにおいては書類を挿入した後重力の方向に関係なく▲３▼ボールがバネ等の伸縮材で書類を締め付ける方向に引っ張られるため、書類を挟む▲３▼ボールが自重で書類を締め付ける方向に移動しない角度に本体を設置する場合でも使用を可能にする他、▲３▼ボールの自重より強い押し付け力を得ることを可能にする。
【００１９】  請求項３のバインダーにおいてはバインダーに書類を挿入する際に最も奥まで挿入すると▲５▼結合部下面の書類を止める部分の傾斜で書類の先端が自動的に▲１▼背板側に寄り、▲３▼ボールと２点で▲１▼背板に書類を押し付けることができ、書類をガタつきなく保持できる。
【００２０】  請求項４のバインダーにおいては書類が▲３▼ボールと▲１▼背板の間でせり合って固着した場合に▲９▼押し棒先端の▲８▼平板を押すことで強制的に▲３▼ボールを奥に押すことができ、書類が抜けなくなることを回避できる。
【図−１】
2006187887.tif 000003
【図−２】
2006187887.tif 000004
【図−３】
2006187887.tif 000005
【図−４】
2006187887.tif 000006
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
書類を挟む二枚の板材とこれらの間に入れるボール、及びこのボールをこれらの二枚の板材の間に保持する部材による構成とし、これらの二枚の板材を並べて立て、その間にボール及びボールを保持する部材を挟み、ボールを保持する部材はボールが適度に動ける程度のスペースを有してボールの全周を包囲して二枚の板材と直交する方向に付き、書類の表側の板材の全周と接合され、書類の裏になる板材とは上部のみ接合され、下部は挟みたい書類の厚さより少し大きい間隔を空け、この隙間に書類を挿入するものとし、二枚の板材の間隔が上は広く下は狭く、また、これら板材を正面から見た場合の左右方向の任意の位置で二枚の板材の間隔が最も狭く、かつ、ボールを保持する部材の下部のボールを受ける部分は最も低く、これから離れるに従って二枚の板材の間隔は広く、かつ、ボールを受ける部分は高くなるように勾配をつけ、二枚の板材の間で、かつ、ボールを保持する部材の内側に二枚の板材の間隔の最小値より少し直径が大きいボールを入れたバインダー。
【請求項２】
請求項１のバインダーにおいて、ボールと、あるいはボールをこれより僅かに大きい環に入れこれと、ボールを保持する部材の書類挿入側先端をバネやゴム等伸縮材で連結して張力を持たせ、本体の設置方向に関係なく書類挿入側にボールを引く機能を備えたバインダー。
【手続補正２】
【補正対象書類名】明細書
【補正対象項目名】全文
【補正方法】変更
【補正の内容】
【発明の詳細な説明】
【技術分野】
【０００１】本発明はバインダーの形状及び機能に関する。
【背景技術】
【０００２】従来バインダーで書類を挟む場合、ばねの反力等で書類に接する部分を書類に押しつけ、書類を挟んで留めるものを主流とするほか、最近ではばね等を使用せず、書類と接する部分の弾力と摩擦力で挟んだ書類を保持する機構のものがある。
【発明の開示】
【発明が解決しようとする課題】
【０００３】ばねの反力等で書類に接する部分を書類に押し付け、書類を挟んで留める機構のものは、書類を挟む際や書類を抜く際に挟む部分を何らかの方法で開かなければならず、手間がかかる。【０００４】また、ばね等を使用せず、書類と接する部分の弾力と摩擦力で挟んだ書類を保持する機構のものは挟める書類の厚さの範囲が狭く、また、複数枚の書類を挟むことが困難である。【０００５】本発明は書類を挟む部分の開閉に手間をかけることなく複数枚の書類を本体の挟む部分に挿入し、挟んで保持し、抜くことができるバインダーを提供することを目的とする。
【課題を解決するための手段】
【０００６】請求項１においては２枚の板材を並べて立て、この間にボールを入れ、ボールが２枚の板材の間に保持されるように他の部材で囲い、一方の板材とボールの間に書類が挟まれるように配置する。【０００７】他方の板材のボール側の面に上下に勾配をつけることにより、ボールの上下移動を利用してこの板材がボールを書類に押しつけたり押し付ける力がなくなったりする機能を有するとともに、同じ面にさらに左右方向にも勾配をつけ、ボールが横に移動すると２枚の板材の間隔が変わってこの板材がボールを書類に押しつけたり、押し付ける力がなくなったりする機能を有する。【０００８】請求項２においては請求項１のバインダーのボールと、あるいはボールをボールより少し内径が大きい環に入れてこれとボールを保持する部分の書類挿入側先端をバネやゴム等の伸縮材で連結し、張力を持たせる。
【発明の効果】
【０００９】本発明のバインダーにより、書類を挟む場合は書類を挿入口から差し込めば書類がボールを持ち上げ、ボールの位置での書類を挟む２枚の板材の間隔が広くなり、書類の裏になる板材とボールの間に書類を挿入でき、その後ボールが自動的に下りて書類の裏になる板材との間で書類を挟みつけ、書類を保持することが可能になり、また、書類を抜く場合は書類を横にずらすことによりボ−ルが横に移動し、ボールの位置での２枚の板材の間隔が広くなり、ボールを書類に押し付けていた力がなくなり、大きな力を使わずに書類をバインダーから抜くことが可能になり、書類を挟む部分を開閉する手間なしで書類を挿入、挟み付け、抜くことを可能にした。【００１０】また、本バインダーでは既に書類を何枚か挟んだ状態でもさらに書類を挿入口から挿入するだけで挟み、保持することが可能である。【００１１】なお、本バインダーに挟める書類の厚さ、質量、枚数等はボールの径、質量、表面粗度や板材の勾配や傾斜等によって調整可能である。
【発明を実施するための最良の形態】
【００１２】本発明の実施の形態を図１から図４に基いて説明する。【００１３】本発明の請求項１のバインダーを図１及び図２に示す。【００１４】書類を挟む２枚の板材である書類の表側になる方の▲２▼表板と裏になる方の▲１▼背板、これらの間に入れる▲３▼ボール、及び▲３▼ボールを保持する部材により構成され、書類を挟む２枚の板材を並べて立て、その間に▲３▼ボール及びボールを保持する部材を挟み、▲３▼ボールを保持する部材は▲２▼表板を正面から見て側面に位置する部分を▲４▼側板、下になる部分を▲５▼底板、上になる部分を▲６▼天板とし、▲３▼ボールを▲２▼表板と▲１▼背板の間に保持するとともに▲３▼ボールが上下左右に移動できる適度なスペースを有し、▲２▼表板及び▲１▼背板と直角に▲２▼表板の縁の全周と接合され、▲１▼背板とは▲４▼側板の上部及び▲６▼天板のみ接合され、▲４▼側板の下部及び▲５▼底板は本バインダーに挟む書類の厚さより少し大きい間隔を空け、この隙間に書類を挿入する配置とする。【００１５】さらに、▲２▼表板と▲１▼背板との間隔が上は広く下は狭くなるように▲２▼表板のボール側の面に勾配をつけ、さらに▲２▼表板を正面から見た左右方向の任意の位置で▲２▼表板と▲１▼背板の間隔が最も狭く、かつ▲４▼底板は最も低く、これから離れるに従って▲２▼表板と▲１▼背板の間隔が広く、かつ▲４▼底板は高くなるように、▲２▼表板の▲３▼ボール側の面と▲４▼底板に勾配をつける。【００１６】これにより、書類挿入口が下を向き、本体の下に書類を挿入する空間を有するように本バインダーを設置すれば、書類を挿入口から挿入するだけで書類で▲３▼ボールが持ち上がり、ボールの位置での▲１▼背板と▲２▼表板の間隔が広くなり、▲３▼ボールと▲１▼背板の間が開き、この間に容易に書類を挿入でき、挿入した後▲３▼ボールが自重で自動的に下り、ボールの位置での▲１▼背板と▲２▼表板の間隔が狭くなり、▲３▼ボールが▲２▼表板に押されて書類を挟みつける。【００１７】なお、▲３▼ボールが▲５▼底板に接触するまで下りてもその位置での▲２▼表板と▲１▼背板との間隔が広く、▲３▼ボールを押さえる力が十分得えられない場合は▲５▼底板の傾斜によって▲３▼ボールが▲５▼底板の低い方に移動し、▲３▼ボールの位置での▲１▼背板と▲２▼表板の間隔が狭くなり、▲２▼表板によって▲３▼ボールがさらに押され書類を挟みつける。【００１８】一方挟んだ書類を抜く場合は書類を横にずらすと▲３▼ボールが横に移動し、▲３▼ボールの位置での▲２▼表板と▲１▼背板の間隔が広くなり、▲３▼ボールを押す力がなくなり容易に書類を抜くことができ、その後▲３▼ボールは自重で自動的に下り、あるいは▲５▼底板に接触してからは▲５▼底板の低い方に転がりつつ下り、▲１▼背板と▲２▼表板の間隔が狭くなって▲２▼表板が▲３▼ボールを押して▲３▼ボールを保持する力と▲３▼ボールの自重が釣り合う位置で止まる。【００１９】また、挟んだ後書類を下に引っ張ることにより▲３▼ボールがさらに下がり、▲１▼背板と▲２▼表板の間隔がより狭くなり、▲３▼ボールが表板にさらに押されて書類を強く挟みつけることができる。【００２０】あるいは本バインダーに既に書類を何枚か挟んだ状態でも、さらに書類を挿入口から挿入すれば▲３▼ボールが持ち上がり、▲３▼ボールと▲１▼背板の間に書類を挿入でき、かつ、すでに挟んでいた書類が落ちるより早く▲３▼ボールが下りて書類を留め、挟む書類を追加できる。【００２１】本発明の請求項２のバインダーを図３及び図４に示す。【００２２】請求項１のバインダーでは▲３▼ボールの自重を利用して▲２▼表板が▲３▼ボールを押さえつけるため書類挿入口が下を向くようにバインダー本体を設置しなければならないが、請求項２では書類挿入口が下を向くように本体を設置しなくも使用可能なので、図３及び図４では書類挿入口が上を向くように設置した状態を示した。【００２３】▲５▼底板の先端に▲７▼伸縮材収納部を設け、伸縮材をこの中に収納し、▲３▼ボールと、あるいは▲３▼ボールをこの直径より内径が少し大きく長さが少し短い環である▲８▼ホルダーに入れこの▲８▼ホルダーと、▲５▼伸縮材収納部先端をバネやゴム等伸縮性を有する▲９▼伸縮材で連結し張力を持たせることにより、重力と関係なく▲２▼表板と▲１▼背板の間隔の狭い方に▲３▼ボールを引っ張る。【００２４】これにより、本体の設置方向や角度に関係なく書類を挟み、保持する機能を有することが可能になる。【００２５】また、書類挿入口が下を向くように本体を設置する場合でも、▲３▼ボールの自重を利用して得ることができる力より強い力で▲３▼ボールを押すことが可能になる。
【図面の簡単な説明】
【００２６】
【図１】請求項１のバインダーの正面図
【図２】請求項１のバインダーの側面図
【図３】請求項２のバインダーで書類挿入口が上を向くように設置した状態の正面図。
【図４】請求項２のバインダーで書類挿入口が上を向くように設置した状態の側面図。
【符号の説明】
【００２７】▲１▼  背板
▲２▼  表板
▲３▼  ボール
▲４▼  底板
▲５▼  側板
▲６▼  天板
▲７▼  伸縮材収納部
▲８▼  ホルダー
▲９▼  伸縮材（ゴムひも）
【手続補正３】
【補正対象書類名】図面
【補正対象項目名】全図
【補正方法】変更
【補正の内容】
【図１】
2006187887.tif 000007
【図２】
2006187887.tif 000008
【図３】
2006187887.tif 000009
【図４】
2006187887.tif 000010
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
書類を挟む二枚の板材とこれらの間に入れるボール、及びこのボールをこれらの二枚の板材の間に保持する部材による構成とし、これらの二枚の板材を並べて立て、その間にボール及びボールを保持する部材を挟み、ボールを保持する部材はボールが適度に動ける程度のスペースを有してボールの全周を包囲して二枚の板材と直交する方向に付き、書類の表側の板材の全周と接合され、書類の裏になる板材とは上部のみ接合され、下部は挟みたい書類の厚さより少し大きい間隔を空け、この隙間に書類を挿入するものとし、二枚の板材の間隔が上は広く下は狭く、また、これら板材を正面から見た場合の左右方向の任意の位置で二枚の板材の間隔が最も狭く、かつ、ボールを保持する部材の下部のボールを受ける部分は最も低く、これから離れるに従って二枚の板材の間隔は広く、かつ、ボールを受ける部分は高くなるように勾配をつけ、二枚の板材の間で、かつ、ボールを保持する部材の内側に二枚の板材の間隔の最小値より少し直径が大きいボールを入れたバインダー。
【請求項２】
請求項１のバインダーにおいて、ボールと、あるいはボールをこれより僅かに大きい環に入れこれと、ボールを保持する部材の書類挿入側先端をバネやゴム等伸縮材で連結して張力を持たせ、本体の設置方向に関係なく書類挿入側にボールを引く機能を備えたバインダー。
【手続補正２】
【補正対象書類名】明細書
【補正対象項目名】全文
【補正方法】変更
【補正の内容】
【発明の詳細な説明】
【技術分野】
【０００１】本発明はバインダーの形状及び機能に関する。
【背景技術】
【０００２】従来バインダーで書類を挟む場合、ばねの反力等で書類に接する部分を書類に押しつけ、書類を挟んで留めるものを主流とするほか、最近ではばね等を使用せず、書類と接する部分の弾力と摩擦力で挟んだ書類を保持する機構のものがある。
【発明の開示】
【発明が解決しようとする課題】
【０００３】ばねの反力等で書類に接する部分を書類に押し付け、書類を挟んで留める機構のものは、書類を挟む際や書類を抜く際に挟む部分を何らかの方法で開かなければならず、手間がかかる。【０００４】また、ばね等を使用せず、書類と接する部分の弾力と摩擦力で挟んだ書類を保持する機構のものは挟める書類の厚さの範囲が狭く、また、複数枚の書類を挟むことが困難である。【０００５】本発明は書類を挟む部分の開閉に手間をかけることなく複数枚の書類を本体の挟む部分に挿入し、挟んで保持し、抜くことができるバインダーを提供することを目的とする。
【課題を解決するための手段】
【０００６】請求項１においては２枚の板材を並べて立て、この間にボールを入れ、ボールが２枚の板材の間に保持されるように他の部材で囲い、一方の板材とボールの間に書類が挟まれるように配置する。【０００７】他方の板材のボール側の面に上下に勾配をつけることにより、ボールの上下移動を利用してこの板材がボールを書類に押しつけたり押し付ける力がなくなったりする機能を有するとともに、同じ面にさらに左右方向にも勾配をつけ、ボールが横に移動すると２枚の板材の間隔が変わってこの板材がボールを書類に押しつけたり、押し付ける力がなくなったりする機能を有する。【０００８】請求項２においては請求項１のバインダーのボールと、あるいはボールをボールより少し内径が大きい環に入れてこれとボールを保持する部分の書類挿入側先端をバネやゴム等の伸縮材で連結し、張力を持たせる。
【発明の効果】
【０００９】本発明のバインダーにより、書類を挟む場合は書類を挿入口から差し込めば書類がボールを持ち上げ、ボールの位置での書類を挟む２枚の板材の間隔が広くなり、書類の裏になる板材とボールの間に書類を挿入でき、その後ボールが自動的に下りて書類の裏になる板材との間で書類を挟みつけ、書類を保持することが可能になり、また、書類を抜く場合は書類を横にずらすことによりボールが横に移動し、ボールの位置での２枚の板材の間隔が広くなり、ボールを書類に押し付けていた力がなくなり、大きな力を使わずに書類をバインダーから抜くことが可能になり、書類を挟む部分を開閉する手間なしで書類を挿入、挟み付け、抜くことを可能にした。【００１０】また、本バインダーでは既に書類を何枚か挟んだ状態でもさらに書類を挿入口から挿入するだけで挟み、保持することが可能である。【００１１】なお、本バインダーに挟める書類の厚さ、質量、枚数等はボールの径、質量、表面粗度や板材の勾配や傾斜等によって調整可能である。
【発明を実施するための最良の形態】
【００１２】本発明の実施の形態を図１から図４に基いて説明する。【００１３】本発明の請求項１のバインダーを図１及び図２に示す。【００１４】書類を挟む２枚の板材である書類の表側になる方の▲２▼表板と裏になる方の▲１▼背板、これらの間に入れる▲３▼ボール、及び▲３▼ボールを保持する部材により構成され、書類を挟む２枚の板材を並べて立て、その間に▲３▼ボール及びボールを保持する部材を挟み、▲３▼ボールを保持する部材は▲２▼表板を正面から見て側面に位置する部分を▲４▼側板、下になる部分を▲５▼底板、上になる部分を▲６▼天板とし、▲３▼ボールを▲２▼表板と▲１▼背板の間に保持するとともに▲３▼ボールが上下左右に移動できる適度なスペースを有し、▲２▼表板及び▲１▼背板と直角に▲２▼表板の縁の全周と接合され、▲１▼背板とは▲４▼側板の上部及び▲６▼天板のみ接合され、▲４▼側板の下部及び▲５▼底板は本バインダーに挟む書類の厚さより少し大きい間隔を空け、この隙間に書類を挿入する配置とする。【００１５】さらに、▲２▼表板と▲１▼背板との間隔が上は広く下は狭くなるように▲２▼表板のボール側の面に勾配をつけ、さらに▲２▼表板を正面から見た左右方向の任意の位置で▲２▼表板と▲１▼背板の間隔が最も狭く、かつ▲４▼底板は最も低く、これから離れるに従って▲２▼表板と▲１▼背板の間隔が広く、かつ▲４▼底板は高くなるように、▲２▼表板の▲３▼ボール側の面と▲４▼底板に勾配をつける。【００１６】これにより、書類挿入口が下を向き、本体の下に書類を挿入する空間を有するように本バインダーを設置すれば、書類を挿入口から挿入するだけで書類で▲３▼ボールが持ち上がり、ボールの位置での▲１▼背板と▲２▼表板の間隔が広くなり、▲３▼ボールと▲１▼背板の間が開き、この間に容易に書類を挿入でき、挿入した後▲３▼ボールが自重で自動的に下り、ボールの位置での▲１▼背板と▲２▼表板の間隔が狭くなり、▲３▼ボールが▲２▼表板に押されて書類を挟みつける。【００１７】なお、▲３▼ボールが▲５▼底板に接触するまで下りてもその位置での▲２▼表板と▲１▼背板との間隔が広く、▲３▼ボールを押さえる力が十分得えられない場合は▲５▼底板の傾斜によって▲３▼ボールが▲５▼底板の低い方に移動し、▲３▼ボールの位置での▲１▼背板と▲２▼表板の間隔が狭くなり、▲２▼表板によって▲３▼ボールがさらに押され書類を挟みつける。【００１８】一方挟んだ書類を抜く場合は書類を横にずらすと▲３▼ボールが横に移動し、▲３▼ボールの位置での▲２▼表板と▲１▼背板の間隔が広くなり、▲３▼ボールを押す力がなくなり容易に書類を抜くことができ、その後▲３▼ボールは自重で自動的に下り、あるいは▲５▼底板に接触してからは▲５▼底板の低い方に転がりつつ下り、▲１▼背板と▲２▼表板の間隔が狭くなって▲２▼表板が▲３▼ボールを押して▲３▼ボールを保持する力と▲３▼ボールの自重が釣り合う位置で止まる。【００１９】また、挟んだ後書類を下に引っ張ることにより▲３▼ボールがさらに下がり、▲１▼背板と▲２▼表板の間隔がより狭くなり、▲３▼ボールが表板にさらに押されて書類を強く挟みつけることができる。【００２０】あるいは本バインダーに既に書類を何枚か挟んだ状態でも、さらに書類を挿入口から挿入すれば▲３▼ボールが持ち上がり、▲３▼ボールと▲１▼背板の間に書類を挿入でき、かつ、すでに挟んでいた書類が落ちるより早く▲３▼ボールが下りて書類を留め、挟む書類を追加できる。【００２１】本発明の請求項２のバインダーを図３及び図４に示す。【００２２】請求項１のバインダーでは▲３▼ボールの自重を利用して▲２▼表板が▲３▼ボールを押さえつけるため書類挿入口が下を向くようにバインダー本体を設置しなければならないが、請求項２では書類挿入口が下を向くように本体を設置しなくも使用可能なので、図３及び図４では書類挿入口が上を向くように設置した状態を示した。【００２３】▲５▼底板の先端に▲７▼伸縮材収納部を設け、伸縮材をこの中に収納し、▲３▼ボールと、あるいは▲３▼ボールをこの直径より内径が少し大きく長さが少し短い環である▲８▼ホルダーに入れこの▲８▼ホルダーと、▲５▼伸縮材収納部先端をバネやゴム等伸縮性を有する▲９▼伸縮材で連結し張力を持たせることにより、重力と関係なく▲２▼表板と▲１▼背板の間隔の狭い方に▲３▼ボールを引っ張る。【００２４】これにより、本体の設置方向や角度に関係なく書類を挟み、保持する機能を有することが可能になる。【００２５】また、書類挿入口が下を向くように本体を設置する場合でも、▲３▼ボールの自重を利用して得ることができる力より強い力で▲３▼ボールを押すことが可能になる。
【図面の簡単な説明】
【００２６】
【図１】請求項１のバインダーの正面図
【図２】請求項１のバインダーの側面図
【図３】請求項２のバインダーで書類挿入口が上を向くように設置した状態の正面図。
【図４】請求項２のバインダーで書類挿入口が上を向くように設置した状態の側面図。
【符号の説明】
【００２７】▲１▼  背板
▲２▼  表板
▲３▼  ボール
▲４▼  底板
▲５▼  側板
▲６▼  天板
▲７▼  伸縮材収納部
▲８▼  ホルダー
▲９▼  伸縮材（ゴムひも）
【手続補正３】
【補正対象書類名】図面
【補正対象項目名】全図
【補正方法】変更
【補正の内容】
【図１】
2006187887.tif 000011
【図２】
2006187887.tif 000012
【図３】
2006187887.tif 000013
【図４】
2006187887.tif 000014